(57)【要約】【課題】一方向に長い収納部にＣＤ−ＲＯＭと他の収納物とともに収納しながらもＣＤ−ＲＯＭが収納部内で大きく移動しないようにして情報読み出し面を保護し、ＣＤ−ＲＯＭと冊子などを一緒にして定形封筒として安価に送付できるようにする。【解決手段】短寸方向の寸法がＣＤ−ＲＯＭ外径寸法に対応した長方形の収納部８を備えた封筒体５に、収納部短寸方向での寸法をＣＤ−ＲＯＭ外径寸法と同一とした保護シート３により情報読み出し面全面が剥離可能に覆われたＣＤ−ＲＯＭ２と、収納部形状に対して略小形とした台紙４とが、ＣＤ−ＲＯＭ外径範囲内に前記台紙が重なるようにＣＤ−ＲＯＭ２と台紙４とを分離可能に貼り合せた状態にして収納した。【選択図】    図１
2005119674.tif 000002
【特許請求の範囲】
【請求項１】
短寸方向の寸法がＣＤ−ＲＯＭなどの円盤状の情報記録媒体における外径寸法に対応した長方形の収納部を備えた封筒体に、
保護シートにより情報読み出し面全面が剥離可能に覆われたＣＤ−ＲＯＭなどの円盤状の情報記録媒体と、収納部形状に対して略小形とした台紙とが、前記情報記録媒体外径範囲内に前記台紙が重なるように前記情報記録媒体と前記台紙とを分離可能に貼り合せた状態にして収納されていることを特徴とする封筒。
【請求項２】
上記情報記録媒体の上記保護シートが上記台紙に相対して保護シートと台紙とが分離可能に貼り合わされ、情報記録媒体の情報読み出し面と反対側の片面に封筒受取人住所氏名などの表示情報を備え、該表示情報が封筒体を透して外部から目視可能に設けられている請求項１に記載の封筒。
【請求項３】
短寸方向の寸法がＣＤ−ＲＯＭなどの円盤状の情報記録媒体における外径寸法に対応した長方形の収納部を備えた封筒体に、
ＣＤ−ＲＯＭなどの円盤状の情報記録媒体と、収納部長寸方向の寸法が収納部の長寸方向の寸法より略短寸にして収納部短寸方向での寸法を情報記録媒体外径寸法と同一とした長方形にして、前記情報記録媒体の情報読み出し面全面を剥離可能に覆った保護シートとが収納され、
前記保護シートの情報記録媒体重ね合わせ側とは反対側の片面に封筒受取人住所氏名などの表示情報を備え、該表示情報が封筒体を透して外部から目視可能に設けられていることを特徴とする封筒。
【発明の詳細な説明】
【技術分野】
【０００１】
本発明はＣＤ−ＲＯＭやＤＶＤ（Ｄｉｇｉｔａｌ  Ｖｅｒｓａｔｉｌｅ  Ｄｉｓｋ）などの情報記録媒体を収納して定形郵便物として送付することのできる封筒に関するものである。
【背景技術】
【０００２】
近年、ＣＤ−ＲＯＭプレイヤーを標準搭載したパソコンが広く普及し、ＣＤ−ＲＯＭに記録された各種ソフトウエアなどを実行させたり、各種画像データを表示することなどがそのパソコンで手軽に行なえる環境が整ってきている。さらにＣＤ−ＲＯＭに多くの情報を記録させることができることから、各種サービス情報をダイレクトメールなどとして提供する場合にそれらの情報を記録したＣＤ−ＲＯＭを顧客などに向けて送付することが行われるようになってきた。
そして、上記ＣＤ−ＲＯＭを入れて郵送できる用品として、ＣＤ−ＲＯＭの中央孔に嵌合する固定部を備えたケースが提案されている（特許文献１参照）。また、ＣＤ−ＲＯＭを挟み込むように二つ折りされる用紙に配送情報を記載したものが提案されていて（特許文献２、特許文献３参照）、定形郵便物の形態になるようにした試みが各種行われている。
【特許文献１】特開平０８−１６９４８７号公報（段落番号０００６、図１）
【特許文献２】特開平１１−０２０８８０号公報（段落番号００１０、図２）
【特許文献３】特開２０００−０１６４７７号公報（段落番号００１３、図１）
【発明の開示】
【発明が解決しようとする課題】
【０００３】
しかしながら上述した郵送用品はＣＤ−ＲＯＭを単独で送付するものであって、重さに余裕があったとしても、ダイレクトメールのように申込用紙や薄手の冊子などをＣＤ−ＲＯＭとともに同封することができない構造となっている。
そのため、ダイレクトメールなどとしてＣＤ−ＲＯＭと申込用紙などを一緒に送付する場合には、定形郵便物としての大きさに収まる封筒体にＣＤ−ＲＯＭと申込用紙などとを合わせて送付することが考えられるが、郵送過程においてその封筒体の内部で収納部の長手方向にＣＤ−ＲＯＭが大きく動き易くなり、そのため情報読み出し面に傷が生じて封筒受取人側で情報が適正に読み出しできなくなる可能性が懸念されている。
そこで本発明は上記事情に鑑み、一方向に長い収納部にＣＤ−ＲＯＭと他の収納物とともに収納しながらもＣＤ−ＲＯＭが収納部内で大きく移動しないようにして情報読み出し面の保護を行なうことを課題とし、ＣＤ−ＲＯＭと冊子などを一緒にして定形封筒として安価に送付できるようにすることを目的とする。
【課題を解決するための手段】
【０００４】
本発明は上記課題を考慮してなされたもので、短寸方向の寸法がＣＤ−ＲＯＭなどの円盤状の情報記録媒体における外径寸法に対応した長方形の収納部を備えた封筒体に、保護シートにより情報読み出し面全面が剥離可能に覆われたＣＤ−ＲＯＭなどの円盤状の情報記録媒体と、収納部形状に対して略小形とした台紙とが、前記情報記録媒体外径範囲内に前記台紙が重なるように前記情報記録媒体と前記台紙とを分離可能に貼り合せた状態にして収納されていることを特徴とする封筒を提供して、上記課題を解消するものである。
そして、この発明において、上記情報記録媒体の上記保護シートが上記台紙に相対して保護シートと台紙とが分離可能に貼り合わされ、情報記録媒体の情報読み出し面と反対側の片面に封筒受取人住所氏名などの表示情報を備え、該表示情報が封筒体を透して外部から目視可能に設けられているものとすることが可能である。
また、もう一つの発明は、短寸方向の寸法がＣＤ−ＲＯＭなどの円盤状の情報記録媒体における外径寸法に対応した長方形の収納部を備えた封筒体に、ＣＤ−ＲＯＭなどの円盤状の情報記録媒体と、収納部長寸方向の寸法が収納部の長寸方向の寸法より略短寸にして収納部短寸方向での寸法を情報記録媒体外径寸法と同一とした長方形にして、前記情報記録媒体の情報読み出し面全面を剥離可能に覆った保護シートとが収納され、前記保護シートの情報記録媒体重ね合わせ側とは反対側の片面に封筒受取人住所氏名などの表示情報を備え、該表示情報が封筒体を透して外部から目視可能に設けられていることを特徴とする封筒であり、この封筒を提供して上記課題を解消するものである。
【発明の効果】
【０００５】
本発明において、ＣＤ−ＲＯＭなどの情報記録媒体の情報読み出し面が保護シートで覆われているので、封筒外からの他物が当たることがあってもその情報読み出し面を保護でき、さらに台紙に情報記録媒体が支持されているため、情報記録媒体が一方向に長い収納部内で大きく移送することがなく、この移動による傷付きが防止できる。そして、台紙自体も情報記録媒体とともに収納される薄手の冊子などで構成することができるようになる。
また、上記保護シートに設けた表示情報を外部から目視できるようにしているため、この表示情報を送付先情報とすれば、配送先情報を記載した住所ラベルなどを封筒に貼付する必要がなくなり、また、その表示情報を情報記録媒体の記録内容情報とすれば、受取人封筒を開封することなく記録内容を判断でき、そのため、受取人に記録内容に対する興味が高まり易くなり、封筒の開封率を向上させることができる。
そして、保護シート自体を情報記録媒体外径寸法と同じ寸法とし、収納部の長寸方向での寸法より略短寸とした長方形とすることで、情報読み出し面を保護する保護シート自体でその情報記録媒体の移動も抑えることができ、情報記録媒体を支持する部材を別途に用意する必要がなり、さらに保護シートにも情報記載面として広い面が確保され、この保護シートに設けた表示情報を外部から目視できるようにすることで、その表示情報を記載した用紙を封筒に入れる手間を省くことができる。さらに、保護シートが再接着可能なものであれば、ＣＤ−ＲＯＭなどの情報記録媒体の保管用の保護シートとして再利用できるなど、実用性に優れた効果を奏するものである。
【発明を実施するための最良の形態】
【０００６】
つぎに本発明を図１から図９に示す実施の形態に基づいて詳細に説明する。
図中１は封筒で、該封筒１はＣＤ−ＲＯＭ２を収納して定形封筒として郵送可能な形態としているものである。図１に示されているようにこの封筒１は、前記ＣＤ−ＲＯＭ２、保護シート３、台紙４、封筒体５から構成されている。前記保護シート３はＣＤ−ＲＯＭ２の外形状に対応した円形状で柔軟な合成樹脂シートからなり、その合成樹脂シートの片面に弱接着力の接着手段６を設けたものである。そして、ＣＤ−ＲＯＭ２の片面の情報読み出し面７に前記接着手段６によって剥離可能にして貼り合されて、この情報読み出し面７の全面を覆って保護している。
なお、前記接着手段６の接着力は人の剥ぎ取り操作で情報読み出し面７から保護シート３が剥離できる接着力に調整されており、剥ぎ取り操作を容易にするために保護シート３の外周の一部に舌片を一体に設けるようにしてもよい。
このように、情報読み出し面７が保護シート３に剥離可能に覆われていることから、後述の台紙４と重なっていない部分に他物が封筒外から当たるようなことがあっても、また、支持している台紙４（ＣＤ−ＲＯＭを支持している点については後述）から外れて封筒体５内で台紙４と擦れ合うことがあったとしても情報読み出し面７の傷付きが防止される。
なお、保護シート３の基体である合成樹脂シートとしては、厚さ７５μｍのポリエステル樹脂シートが好適に利用できる。また、接着手段６としては、ウレタン系粘着剤などが考えられ、再接着が可能なものであれば、ＣＤ−ＲＯＭの保管用の保護シートとして再利用ができるため、従来の保管用のケースのように、無駄なスペースをとることなく保管が可能となる。さらに、保護シートの表出面にＣＤ−ＲＯＭに関連した情報を印刷することにより、ＣＤ−ＲＯＭと保護シートを接着した際に、ＣＤ−ＲＯＭの表出面と保護シートの表出面の両面に情報が表示された状態となるため、効率よくＣＤ−ＲＯＭを探すことができるものとなる。
【０００７】
ＣＤ−ＲＯＭ２とともに封筒体５に収められている上記台紙４は帳票や薄手の冊子などからなるものであって、封筒体５の長方形状とした収納部８に収まるように、長寸方向の寸法をその収納部８内の長寸方向の寸法より少し短寸とし、短寸方向の寸法をＣＤ−ＲＯＭ外径以下とした長方形としている。この長方形の台紙４とするために帳票や冊子を折り曲げしてもよい。勿論、別途に用意する紙材料などでこの台紙４を得るようにしてもよい。
【０００８】
情報読み出し面７が保護シート３により覆われているＣＤ−ＲＯＭ２は、このＣＤ−ＲＯＭ２とともに封筒体５に収まる上記台紙４に支持されていて、台紙４の中央に粘着剤９を塗布し、保護シート３側が台紙４に面するようにＣＤ−ＲＯＭ２を台紙４の中央部分に重ね、保護シート３の中央部分が前記粘着剤９を介して台紙４に分離可能にして貼り付けられている。これによってＣＤ−ＲＯＭ２が台紙４に支持された状態となっている。
なお、前記粘着剤９の接着力は、収納部８に収納された状態ではＣＤ−ＲＯＭが移動しないように保護シート３への接着状態が維持され、かつ人の操作により保護シート３と台紙４との分離が行われるときには台紙４側での紙ムケや保護シート３の情報読み出し面からの剥離が生じない状態となるようにその接着力が調整されている。この粘着剤９としては、スチレン−イソプレン−スチレン系ホットメルト接着剤が好適である。
また、ＣＤ−ＲＯＭ２と台紙４とは、ＣＤ−ＲＯＭ２の外径範囲内に台紙４が重なるように重ね合わせて上記保護シート３と台紙４とを貼り合わせており、図２（Ｂ）に示すようにＣＤ−ＲＯＭ２の一部分が台紙４の両脇からはみ出した状態となり、台紙４による情報読み出し面７に対する保護機能が働かない部分が生じるが、上述したように情報読み出し面７全面が保護シート３で覆われているため、傷付きが確実に防止できる。
なお、台紙４の短寸方向をＣＤ−ＲＯＭ外形寸法と同一とすることも考えられ、この場合、はみ出す部分が無くなるため、傷付きや破損がより確実に防止できる。
【０００９】
上記台紙４とこの台紙４の中央に保護シート３側が面するように重ね合されて支持されるＣＤ−ＲＯＭ２とが収められた上記封筒体５は、一辺を取り出し口とする上記収納部８のその取り出し口側に封緘片１０を備えたものであり、その封緘片１０で取り出し口を覆うように収納部８側に折り重ねて貼り合わせて封止されている。この封筒体５における収納部８内はその短寸方向の寸法がＣＤ−ＲＯＭ２の外径寸法に対応しており、そして、ＣＤ−ＲＯＭ２の外形寸法自体も定形封筒における短寸規定に収まるものであることから、収納部８にＣＤ−ＲＯＭ２と台紙４とを収納して封緘したことにより、定形郵便物の形態の封筒１となっているものである。
この封筒体５は合成樹脂フィルムを素材としてなるものであり、図３に示すように収納部８における台紙４が位置する側の片面は透視困難状態となるようにその全面に印刷部１１が形成され、封筒受取人住所氏名などの送付先情報１２が記載された宛名ラベル１３が貼り付けられている。また、図１に示すように、収納部８におけるＣＤ−ＲＯＭ２が位置する側の片面と上記封緘片の部分とは共に透明とされ、受取人に対してＣＤ−ＲＯＭ２の存在が直に分かるように工夫されている。なお、印刷部１１が設けられている側において、収納部８内を透視できる非印刷領域を形成し、この非印刷領域に対応位置する送付先情報を備えた住所シートを収納部に同封するようにしてもよい。
【００１０】
このように封筒１では、ＣＤ−ＲＯＭ２の情報読み出し面７が保護シート３で覆われているので、さらに、その情報読み出し面７が台紙４側に相対する状態で貼り合されているので、外部から他物が封筒に当たったとしても情報読み出し面７への傷付きが確実に防止される。そして、台紙４に支持された状態でＣＤ−ＲＯＭ２が収納部８に収められ、その台紙４の収納部長寸方向での寸法がそが収納部８内の長寸方向の寸法より少し短いだけとし、収納部８内の短寸方向の寸法もＣＤ−ＲＯＭ２の外径寸法に対応しているため、この封筒１の郵送過程においてＣＤ−ＲＯＭ２が収納部８内で大きく移動することがなく、安全に送付することができるようになる。
【００１１】
上記実施形態では収納部の片面に宛名ラベルを貼付して送付先情報が表示されるようにしたが、本発明はこれに限定されるものではない。図４と図５は他例を示していて、収納部８におけるＣＤ−ＲＯＭ２が位置する側の片面を、ＣＤ−ＲＯＭ２に対応した部分を透明な非印刷部１４とし、他の部分を透視困難な印刷部１１としている。そして、ＣＤ−ＲＯＭ２の情報読み出し面とは反対側の片面１５に、送付先情報やＣＤ−ＲＯＭ２の記録内容などの表示情報１６を設けている。これによって、図５に示すようにＣＤ−ＲＯＭ入り封筒の形態であることをより一層強調できるようになり、開封率が向上する。なお、この形態において表示情報１６が送付先情報でない場合には、他の部位に既存の方法により送付先情報が表示されるようにすればよい。
【００１２】
図６と図７は更に他の例を示していて、ＣＤ−ＲＯＭ２の片面１５上で、複数の表示情報１６を分割配置し、その分割配置された表示情報１６の位置に対応するようにして、封筒体５の収納部８の片面にも透視窓とした非印刷部１４をそれぞれ設けている。このようにすることで、限られた窓状の透視領域から表示情報１６を強調させることができる。
なお、表示情報１６は、送付先の住所や送付元の情報などが考えられる。例えば、ＣＤ−ＲＯＭに送付先固有の提供情報を記録し、前記ＣＤ−ＲＯＭに送付先の住所情報を表示することにより、送付先に対応したオリジナルのＣＤ−ＲＯＭとなるだけでなく、透視窓から表出させて宛て先情報とすることにより確実に送付先に送付することができる。
【００１３】
図８と図９は更に他の例を示している。この例では、上記保護シート３の形状を、保護シート３の収納部短寸方向での寸法をＣＤ−ＲＯＭ２の外径寸法としながら、収納部長寸方向での寸法を収納部８の長寸方向の寸法により少し短寸とした長方形とし、その保護シート３のＣＤ−ＲＯＭ側とは反対側の片面に送付先情報として構成された表示情報１６を設けている。１７は帳票や冊子などの共に収納した収納物を示していて、この収納物１７はＣＤ−ＲＯＭ２の支持には関与していない。
このように保護シート３を収納部８に収まる長方形としているため、保護シート３自体が上述の台紙４とされ、別途の台紙の必要性を無くすとともに、上述した帳票や冊子を台紙とする必要性も無くしたものとなる。そして、送付先情報としての表示情報１６を、収納部８での透視窓とした非印刷部１４から目視できるようにしている。さらに保護シート３の形状が長方形で情報掲載面として広い部分が確保できるので、封筒外部から目視できる状態に限定されることなく、封筒受取人への開示情報（例えば、ＣＤ−ＲＯＭに対する取り扱い注意事項など）をこの保護シート３に設けることが可能である。
なお、各実施形態においてＣＤ−ＲＯＭについて説明したが、ＣＤ−ＲＯＭだけでなく、ＤＶＤなどの情報記録媒体について同様に適用可能であることはいうまでもない。
【図面の簡単な説明】
【００１４】
【図１】本発明に係る封筒の一例を示す説明図である。
【図２】一例の構成を示すもので、（Ａ）はＣＤ−ＲＯＭと保護シートを示す説明図、（Ｂ）は帳票や冊子からなる台紙と粘着剤を示す説明図である。
【図３】一例におけるもう一方の面を示す説明図である。
【図４】他の例における未収納状態を示す説明図である。
【図５】他の例にける表出情報側を示す説明図である。
【図６】他の例における未収納状態を示す説明図である。
【図７】他の例にける表出情報側を示す説明図である。
【図８】他の例における未収納状態を示す説明図である。
【図９】他の例にける表出情報側を示す説明図である。
【符号の説明】
【００１５】
１…封筒
２…ＣＤ−ＲＯＭ
３…保護シート
４…台紙
５…封筒体
６…接着手段
７…情報読み出し面
８…収納部
９…粘着剤
１１…印刷部
１２…送付先情報
１４…非印刷部
１６…表示情報
【図１】
2005119674.tif 000003
【図２】
2005119674.tif 000004
【図３】
2005119674.tif 000005
【図４】
2005119674.tif 000006
【図５】
2005119674.tif 000007
【図６】
2005119674.tif 000008
【図７】
2005119674.tif 000009
【図８】
2005119674.tif 000010
【図９】
2005119674.tif 000011